(57)【要約】【課題】  画像形成装置において、リセット実行時にリセットされる領域を設定変更可能とすること。【解決手段】  リセットを行う際に設定データを初期値に戻すリセット項目を選択設定可能とし、リセットコマンドの入力により前記選択設定されたリセット項目についてのみ当該設定データを前記初期値に戻して前記リセットを実行するリセット実行部を備えることにより解決した。さらにリセット値診断設定部がリセットの初期値が画像形成装置の装置状態に適合しているかどうかを判断し、適合していなければ適合値に設定しなおす。【選択図】図１
2010143046.tif 000002
【特許請求の範囲】
【請求項１】
リセットを行う際に設定データを初期値に戻すリセット項目を選択設定可能とし、リセットコマンドの入力により前記選択設定されたリセット項目についてのみ当該設定データを前記初期値に戻して前記リセットを実行するリセット実行部を有する
ことを特徴とする画像形成装置。
【請求項２】
請求項１の画像形成装置であって、
前記リセット実行部がリセット時に戻す前記設定データの初期値が装置の状態に合致しているかどうかの判断を行い、合致していない場合には前記装置の状態に合わせて初期値を変更するリセット値診断設定部を有する
ことを特徴とする画像形成装置。
【請求項３】
請求項１または２の画像形成装置であって、
前記選択設定されたリセット項目についてのレポートを作成して出力するレポート作成部を有する
ことを特徴とする画像形成装置。
【請求項４】
請求項３の画像形成装置であって、
前記レポート作成部は、装置内の情報データ項目毎に必要情報であるかどうかを判断し、必要項目についてのみレポートを作成して出力する
ことを特徴とする画像形成装置。
【請求項５】
請求項３または４の画像形成装置であって、
前記レポート作成部は、前記リセット実行部によるリセット実行イベントが発生すると、前記リセット実行前に前記リセット項目についてのレポートを作成して出力する
ことを特徴とする画像形成装置。
【発明の詳細な説明】
【技術分野】
【０００１】
画像形成装置におけるリセットモードの選択、及びステータスレポートの出力に関するものである。
【背景技術】
【０００２】
画像形成装置では、ＰＤＬ（ページ記述言語）の仕様として機器の状態を工場出荷時にリセットするコマンドが含まれている。またそのコマンドは用途や公開範囲によりリセットする範囲が異なるものが複数存在する。さらにＰＤＬ中のリセットコマンドだけでなく、パネルやＷｅｂページなどからのユーザの指示により、上記のリセットコマンドを実行することが可能である。
【０００３】
しかし、従来の画像形成装置ではユーザにはどのコマンドでどの領域がリセットされるのかが分からず、また状況によっては、ユーザがリセットする範囲を変更したいとしても同じコマンドでリセットする領域を状況により変化させることはできなかった。
【０００４】
従来技術として、エミュレーション機能を切り替えるに際し、初期設定値を設定しなおす必要がなく、かつ個別の印字装置特有の機能も含めて初期設定値の登録ができると共に、エミュレーション毎に初期設定値変更の履歴があって、印字装置のエミュレーションの切り替えを行った後でも、前回使用し、また変更した値が初期設定値として使用できる印字装置がある（特許文献１参照）。
【０００５】
また、他の従来技術として、一括リセットの指令にもかかわらず維持したいモードと、一括リセットの指令によってリセットしたいモードとをモード毎に予め指定しておくことを可能とする画像処理装置がある（特許文献２参照）。
【０００６】
しかし、これらの装置でもリセット時のリセット項目をユーザが自由に設定可能ではなかった。
【特許文献１】特開平０５−１５５１１１号公報
【特許文献２】特開平０５−３２８１２２号公報
【発明の開示】
【発明が解決しようとする課題】
【０００７】
解決しようとする問題点は、画像形成装置においてリセット実行時にリセットされる領域を設定変更可能とすることができなかった点である。
【課題を解決するための手段】
【０００８】
本発明の画像形成装置は、リセットを行う際に設定データを初期値に戻すリセット項目を選択設定可能とし、リセットコマンドの入力により前記選択設定されたリセット項目についてのみ当該設定データを前記初期値に戻して前記リセットを実行するリセット実行部を有することを特徴とする。
【０００９】
また、本発明の画像形成装置は、前記リセット実行部がリセット時に戻す前記設定データの初期値が装置の状態に合致しているかどうかの判断を行い、合致していない場合には前記装置の状態に合わせて初期値を変更するリセット値診断設定部を有することを特徴としてもよい。
【００１０】
また、本発明の画像形成装置は、前記選択設定されたリセット項目についてのレポートを作成して出力するレポート作成部を有することを特徴としてもよい。
【００１１】
また、本発明の画像形成装置の前記レポート作成部は、装置内の情報データ項目毎に必要情報であるかどうかを判断し、必要項目についてのみレポートを作成して出力することを特徴としてもよい。
【００１２】
また、本発明の画像形成装置の前記レポート作成部は、前記リセット実行部によるリセット実行イベントが発生すると、前記リセット実行前に前記リセット項目についてのレポートを作成して出力することを特徴としてもよい。
【発明の効果】
【００１３】
本発明の画像形成装置は、リセットを行う際に設定データを初期値に戻すリセット項目を選択設定可能とし、リセットコマンドの入力により前記選択設定されたリセット項目についてのみ当該設定データを前記初期値に戻して前記リセットを実行するリセット実行部を有することを特徴とする。
【００１４】
このため、ユーザの使用形態に応じて画像形成装置をリセットする際のリセット項目を自由に選択して設定可能となる。
【００１５】
また、本発明の画像形成装置は、前記リセット実行部がリセット時に戻す前記設定データの初期値が装置の状態に合致しているかどうかの判断を行い、合致していない場合には前記装置の状態に合わせて初期値を変更するリセット値診断設定部を有することを特徴としてもよい。
【００１６】
このため、画像形成装置で発生したエラーや故障等により、リセット時の設定データが初期値に戻されても装置の状態と合致していないことに起因して、動作続行が不可能になる問題が解消する。
【００１７】
また、本発明の画像形成装置は、前記選択設定されたリセット項目についてのレポートを作成して出力するレポート作成部を有することを特徴としてもよい。
【００１８】
このため、ユーザは、画像形成装置のリセットの際にどのリセット項目の設定データが初期値に戻されるかを把握可能となる。
【００１９】
また、本発明の画像形成装置の前記レポート作成部は、装置内の情報データ項目毎に必要情報であるかどうかを判断し、必要項目についてのみレポートを作成して出力することを特徴としてもよい。
【００２０】
このため、レポート出力に際し不要なデータにより用紙等が消費されるのを抑制する。
【００２１】
また、本発明の画像形成装置の前記レポート作成部は、前記リセット実行部によるリセット実行イベントが発生すると、前記リセット実行前に前記リセット項目についてのレポートを作成して出力することを特徴としてもよい。
【００２２】
このため、リセット時にはどのリセット項目がリセットされたかについて、出力レポートにより確認可能となる。
【発明を実施するための最良の形態】
【００２３】
画像形成装置においてリセット実行時にリセットされる領域を設定変更可能とすることができないという問題点を、リセットを行う際に設定データを初期値に戻すリセット項目を選択設定可能とし、リセットコマンドの入力により前記選択設定されたリセット項目についてのみ当該設定データを前記初期値に戻して前記リセットを実行するリセット実行部を備えることにより解決した。
【実施例１】
【００２４】
［構成］
本発明実施例のプリンタ１０１（画像形成装置）の機能ブロックについて、図１及び図２を用いて説明する。本実施例の説明においては、印刷部やスキャナ部などの通常のプリンタに備わっている機能部については、発明の本質には関係ないので省略した。
【００２５】
まず、図１を用いてＰＤＬ（ページ記述言語）を使用したリセットコマンドでのリセットについて説明を行う。
【００２６】
プリンタ１０１（画像形成装置）は、ＰＤＬ解釈部１１１、リセット実行部１１２、ＮＶＲＡＭ（不揮発性メモリ）１１３を有する。
【００２７】
ＰＤＬ解釈部１１１は、ＰＣ２０１等から送信される印刷データ中のページ記述言語を解釈する。さらに、ページ記述言語中のリセットコマンドを解釈するとリセット動作をリセット実行部１１２に指示する。
【００２８】
リセット実行部１１２は、ＰＤＬ解釈部１１１からの指令、ないしはユーザによるリセット実行指示によりリセット動作を実行する。
【００２９】
また、リセット実行部１１２は、予め設定データを初期値に戻すリセット項目を選択して設定することを可能としている。これにより、リセットコマンドの入力によるリセット実行の際には、前記選択設定されたリセット項目についてのみ当該設定データを前記初期値に戻す。
【００３０】
ＮＶＲＡＭ１１３は、不揮発性のメモリであってプリンタ１０１の設定データを記録しておく。プリンタ１０１のリセット動作の際には、リセット実行部１１２がＮＶＲＡＭ１１３が保持する設定データを取得してリセット後のシステム再開のための設定値とする。
【００３１】
リセット値診断設定部１１４は、リセット実行部１１２がリセット時に戻す前記設定データの初期値が装置の状態に合致しているかどうかの判断を行い、合致していない場合には前記装置の状態に合わせて初期値を変更する機能を有する。
【００３２】
例えば、リセット項目の中のブザーの初期値（図３のリセット項目第１番目；詳細後述）において、ブザー装置が故障等によりブザーの鳴動が不可能であるのに初期値が図３のようにＯＮのままであると、プリンタ１０１がブザーを鳴らしている状態であっても、ユーザには実際に音が届かないなどの不都合が起きる。リセット値診断設定部１１４は、これらの不具合がないように、リセット時にブザー装置が鳴動可能であるかのテストを行い、鳴動不可能であれば現在の初期値がＯＮとなっていてもその値をＯＦＦに変更する。
【００３３】
［リセット動作］
ＰＣ２０１からプリンタ１０１にリセットコマンドが送られる。リセットコマンドがＰＤＬ解釈部１１１で解釈されると、リセット実行部１１２は、リセットを実行するために必要なセット項目の情報をＮＶＲＡＭ（不揮発性メモリ）１１３より取得する。そのリセット項目の情報に従い、ＮＶＲＡＭ１１３のリセットを行う。なお、ＮＶＲＡＭ１１３に記憶されているリセット項目についてはリセットの対象には含まれない。上記リセット動作は、ユーザがプリンタ１０１本体のパネル１１５（図２参照）からの入力によって行ってもよい。
【００３４】
［リセット項目の開示］
次に、リセット項目開示の処理概要を図２のブロック図で説明する。
【００３５】
プリンタ１０１（画像形成装置）は、さらにパネル１１５、レポート作成部１１７の機能部を有する。
【００３６】
パネル１１５は、プリンタの動作状況を表示したり、設定動作を行う際の表示を行ったり、リセット動作（リセット項目の設定等）を実行するための表示を行ったりする。
【００３７】
レポート作成部１１７は、リセット動作の際に行われるリセット項目についてのレポートを作成する。作成されたレポートは、前記パネル１１５で表示されたり、印刷部（不図示）で印刷されたり、Ｗｅｂページに載せる等の手段がある。ここではレポート印刷について説明する。
【００３８】
また、レポート作成部１１７は、前記リセット実行部１１２によるリセット実行イベントが発生すると、前記リセット実行前に前記リセット項目についてのレポートを作成して出力することを可能とする。このレポート出力は設定により実行・不実行を選択可能とする。
【００３９】
プリンタ１０１のパネル１１５からリセット項目の印刷メニューからリセット項目の印刷を実行する。するとレポート作成部１１７は、ＮＶＲＡＭ（不揮発性メモリ）１１３よりリセット項目を取得しその情報を記載したレポートを作成し印刷部（不図示）にて印刷を実行する。
【００４０】
実際に印刷されるレポートの例について図３に示す。リセット項目記載レポートＴ０１にはリセット項目と初期値が書かれている。
【００４１】
例えば、リセット項目記載レポートＴ０１においては、リセット時には、ブザーは、ＯＮ状態（必要時には音の発生あり）であり、カセット１メディアタイプは、ＰＬＡＩＮ（普通紙）であり、カセット２メディアタイプも、ＰＬＡＩＮ（普通紙）であり、エミュレーション言語はＰＣＬであり、コピー枚数のデフォルト値は１であるように設定される。
【００４２】
［リセット項目の設定］
次に、リセット項目の設定の処理概要を図２のブロック図で説明する。
【００４３】
リセット項目の設定はパネル１１５から、又はＷｅｂページから等のどのようなインタフェースでも実施可能であるが、ここではパネル１１５から設定を行う場合について説明する。
【００４４】
パネル１１５でリセット項目の設定を行うとＮＶＲＡＭ（不揮発性メモリ）１１３のリセット項目が変更される。
【００４５】
また、その際にはリセット項目だけでなく初期値の変更も可能である。
【００４６】
［実施例１の効果］
本発明実施例のプリンタ１０１により以下のことが可能となる。
【００４７】
リセットする項目をユーザが自由に設定可能である。
【００４８】
ユーザがリセット実行時の効果について、リセットを実際に行わなくとも容易に確認できる。
【００４９】
設定によりレポート作成部１１７は、リセットイベントが発生した際には、リセット項目を出力して、その後リセット実行部１１２がリセット動作を行うため、どの項目がリセットされたかをレポートにより確認可能となる。
【００５０】
これにより、リセットの利便性が向上する。
【実施例２】
【００５１】
［レポート出力動作］
通常プリンタ（画像形成装置）には機器の状態等をユーザに知らせるための内部ページが存在するが、その中に機器で発生したイベント（例えば、トナー交換や紙詰まり発生等）をユーザに通知するレポートを出力可能である。このレポートの印刷を実行した場合、たとえ過去にイベントが発生していなかったとしても内容が記載されていないレポートが表示されてしまう。本発明実施例２のプリンタ３０１（図４参照）（画像形成装置）は、このような意味の無いレポートの印刷を行わないことにより、紙やトナーの節約を可能とする。
【００５２】
［構成］
図４に本発明実施例２のプリンタ３０１（画像形成装置）の機能ブロック図を示す。
【００５３】
プリンタ３０１（画像形成装置）は、実施例１の図１で示したＰＤＬ解釈部１１１、リセット実行部１１２、ＮＶＲＡＭ１１３、リセット値診断部１１４にさらに加えて、パネル３１５、レポート作成部３１７、マシン情報管理部３２１を有する。
【００５４】
レポート作成部３１７は、装置内の情報データ項目毎に必要情報であるかどうかを判断し、必要項目についてのみレポートを作成して出力する。
【００５５】
マシン情報管理部３２１は、プリンタ１０１の装置内部の情報を管理し、レポート作成部３１７から装置内部の情報の取得依頼があった場合には、当該情報を取得してレポート作成部３１７に渡す。例えばＰＣ４０１やプリンタのパネル３１５からプリンタ３０１にレポート作成指示を送ると、レポート作成部３１７に依頼が来る。レポート作成部３１７はマシン情報管理部３２１に情報を取得しに行きレポート３１９を排出する。ここで、マシン情報管理部３２１から取得した情報により、レポート３１９を印刷するかどうか、またレポートの項目を表示させるかどうかをレポート作成部３１７が判断する。
【００５６】
図５にプリンタ３０１の動作のフローチャートを示す。
【００５７】
Ｓ１１：レポート作成部３１７は、ＰＣ４０１やパネル３１５からの入力によりレポート印刷命令を受け取る。
【００５８】
Ｓ１３：レポート作成部３１７は、当該レポートの情報がプリンタ３０１内に存在するかどうかをマシン情報管理部３２１に尋ね、マシン情報管理部３２１がそれに対して応答する。当該情報が存在した場合には動作をＳ１５に移行する。存在しなかった場合は動作をＳ２１に移行する。
【００５９】
Ｓ１５：レポート作成部３１７は、当該レポート情報の各項目について必要な情報であるかどうかを判断し、全ての情報が必要と判断したときは、動作をＳ１７に移行する。不要な情報がひとつでもある場合には、動作をＳ１９に移行する。
【００６０】
Ｓ１７：レポート作成部３１７は、通常のレイアウトでレポートの印刷を行う。
【００６１】
Ｓ１９：レポート作成部３１７は、必要と判断されなかった情報を除いてレポートを作成して印刷を行う。
【００６２】
Ｓ２１；レポート情報がないと判断されたので、レポートを印刷せずにその旨をパネル３１５やＰＣ４０１に対して通知する。
【００６３】
［実施例２の効果］
レポート印刷において不要な情報の印刷を行わないことにより、紙、トナーの節約が可能となる。
【図面の簡単な説明】
【００６４】
【図１】実施例１のプリンタ１０１のリセット動作関係の機能ブロック図である。
【図２】実施例１のプリンタ１０１のリセット項目開示の機能ブロック図である。
【図３】実施例１のリセット項目記載レポートの例である。
【図４】実施例２のプリンタ３０１の機能ブロック図である。
【図５】実施例２のプリンタ３０１の動作のフローチャートである。
【符号の説明】
【００６５】
１０１  プリンタ（画像形成装置）（実施例１）
１１１  ＰＤＬ（ページ記述言語）解釈部（実施例１）
１１２  リセット実行部（実施例１）
１１３  ＮＶＲＡＭ（不揮発性メモリ）（実施例１）
１１４  リセット値診断設定部（実施例１）
１１５  パネル（実施例１）
１１７  レポート作成部（実施例１）
１１９  リセット項目記載レポート（実施例１）
２０１  ＰＣ（Personal Computer）
３０１  プリンタ（画像形成装置）（実施例２）
３１５  パネル
３１７  レポート作成部
３１９  レポート
３２１  マシン情報管理部
【図１】
2010143046.tif 000003
【図２】
2010143046.tif 000004
【図３】
2010143046.tif 000005
【図４】
2010143046.tif 000006
【図５】
2010143046.tif 000007